(57)【特許請求の範囲】
【請求項１】
一対のプレート間に格納ストッパーならびに係止ストッパーを介在させて構成したブラケットと、該ブラケットの間隙内に回動自在に軸着した回動基体と、該回動基体と一体的に形成され垂直姿勢から水平姿勢の間を回動するようにした支持杆と、該回動基体の回動速度に制限を加える制動機構とから成り、該制動機構により回動基体の回動速度に制限を加えるようにして、該手摺主体の支持杆を、該支持杆の基端部の該回動基体が該格納ストッパーに当接する格納位置から該係止ストッパーに当接する水平状態まで緩く減勢して繰出すことを特長とする可動型手摺。
【請求項２】
前記制動機構を、回動基体に固定した支点と壁面支点間との間に設けたステーダンパーにより、該支点の変位速度に制限を加える構成としたことを特長とする請求項１記載の可動型手摺。
【請求項３】
前記制動機構を、回動基体に回転軸を直結し、プレートから外側に延長した回転軸と該プレートとの間に設けたロータリーダンパーにより、回動基体の回動速度を制限する構成としたことを特長とする請求項１記載の可動型手摺。
【請求項４】
ブラケットおよび回動基体間の適宜位置に係止具を取付け、格納位置に倒立させた手摺主体の回動基体を、該ブラケットの係止具に対し係脱自在に保持するようにしたことを特長とする請求項１ないし３記載のいずれか１の可動型手摺。
【発明の詳細な説明】
【０００１】
【発明の属する技術分野】
本発明は、不使用時には手摺主体の支持杆を壁面に沿った格納位置まで倒立させることができ、また使用時には支持杆を格納位置から水平状態に緩く繰出すことができるようにした可動型手摺に関し、特に、狭い空間から成る浴室、トイレ等に設置して高い安全性を得ることができる可動型手摺に関するものである。
【０００２】
【従来の技術】
従来、浴室、トイレ等に出入りするときや、清掃の際の手摺不使用時に、手摺主体１の支持杆２を壁面Ａに沿った格納位置まで倒立させ、狭い空間を広く利用しようとする目的で、図６に示すような、ブラケット５内に支持杆２を含む回動基体３を枢着し、その支持杆２を実線で示す水平状態から、鎖線で示す格納位置まで倒立（矢印Ｂ）させるようにした可動型手摺が提案されている。
【０００３】
【発明が解決しようとする課題】
しかしながら、ブラケット内に枢着された支持杆を格納位置から水平状態に繰出す場合、支持杆はブラケットに対して遊嵌されているだけであるから機械的に自由回転するものであり、注意を払いながら手を添えて静かに繰出さないと、あるいは不注意に、もしくは誤って操作すると、急激に支持杆が降下し、その支持杆で身体の一部を打ったり、支持杆とブラケットの間に手、指を挟んだりして怪我をするといった危険な問題点が存在する。この発明は、以上述べたような従来の可動型手摺がもつ問題点を解消し、安全性の高い手摺を得るために創案されたものである。
【０００４】
【課題を解決するための手段】
前記目的を達成するために、この発明に係る可動型手摺は、一対のプレート間に格納ストッパーならびに係止ストッパーを介在させて構成したブラケットと、該ブラケットの間隙内に回動自在に軸着した支持杆と、該回動基体に連結した制動機構とから成り、該制動機構により回動基体の回動速度に制限を加えるようにして、該手摺主体の支持杆を、該支持杆の基端部の該回動基体が該格納ストッパーに当接する格納位置から該係止ストッパーに当接する水平状態に緩く減勢して繰出す可動型手摺を提供することにより解決を図ったものである。
【０００５】
この発明には、前記制動機構を、回動基体に固定した支点と壁面支点間との間にステーダンパーを設け、該支点の変位速度を制限することにより、あるいは、プレートに枢着した第１リンクならびに回動基体に枢着した第２リンクとの連接点と、壁面支点との間にステーダンパーを設け、該連接点の変位速度を制限することにより、回動基体の回動速度を制限し、該手摺主体の支持杆を格納位置から水平状態に緩く減勢して繰出すようにした態様が含まれる。
【０００６】
また、この発明には、前記制動機構を、プレートと回動基体との間にロータリーダンパー、あるいはロータリ式摩擦ブレーキを設け、該回動基体の回動速度を制限することにより、回動基体の回動速度を制御し、該手摺主体の支持杆を格納位置から水平状態に緩く減勢して繰出すようにした態様も含まれる。
【０００７】
さらにまた、この発明には、ブラケットおよび回動基体間にローラーキャッチ、マグネットキャッチのような係止具を設け、格納位置に倒立させた手摺主体の回動基体を、該ブラケットに対し係脱自在に保持するようにして半固定する態様が含まれている。
【０００８】
【発明の実施の形態】
この発明に係る可動型手摺は、回動基体と一体的に形成された支持杆を、制動機構によって回動基体の回動速度に制限を加えながら回動させるようにし、該手摺主体の支持杆を格納位置から水平状態に緩く、減勢して繰出すようにしたものであり、また、格納位置に倒立させた手摺主体の回動基体とブラケットとの間には係止具を設け、回動基体を該ブラケットに対し係脱自在に保持させ半固定するようにしたものである。以下、実施例を説明しながらその具体的詳細を述べる。
【０００９】
【実施例】
この発明に係る可動型手摺の一実施例につき、図１ないし図５を参照して説明する。
【００１０】
図１にこの発明の実施例に係わる可動型手摺を示す。この可動型手摺は図１において実線で示す水平状態の使用位置から、図３に示す壁面Ａに沿った格納位置まで手摺主体１を回動することができるように、すなわち手摺主体１をブラケット５に軸着して縦方向に回動することができるように構成している。
【００１１】
手摺主体１は、図１および図３に示すように、断面略Ｕ字状の支持杆２の基端部を回動基体３に固着する一方、この回動基体３を回転軸４によってブラケット５の間隙内に回動自在に軸着し、支持杆２が回転軸４を中心にして回動するようになっている。回動基体の動きは、係止ストッパー１３と格納ストッパー１４との間に規制され、水平状態から格納状態の間の約９０度がその回動範囲となっている。すなわち、水平状態になった回動基体は格納ストッパー１４に当接し、また垂直状態になった回動基体は係止ストッパー１３に当接してそれら当接点を超えることができないようになっている。また、当接点にはゴムクッション（図示せず）を介在させ、接触時の衝撃が緩和されるようになっている。
【００１２】
支持杆２を倒立させて格納状態にしたとき、その姿勢における回動基体３は、その先端に取付けられた突起１７が格納ストッパー１４の背面に設けられたローラーキャッチやマグネットキャッチのような係止具１６に係合し、その倒立状態が保持される。手摺主体１の支持杆２を水平状態に繰出すときは、支持杆２に横向きの力を加えて、係止具１６の係合を解く。
【００１３】
ブラケット５は、壁面に対する取付け部を折曲げて形成した一対のプレート１５を、その中で回動基体３が回動できるような間隔をもって対向させ、格納ストッパー１４、係止ストッパー１３とともに一体的に構成している。ブラケット５の中腹には、回転軸４を支承する孔があけられていて、回動基体３をその孔に軸着し、このブラケット５の間隙内で回動するようにしている。
【００１４】
次に、係止ストッパー１３と格納ストッパー１４との間約９０度の範囲で自由に回動する回動基体３の回動速度に、制限を加える制動機構１２について説明する。図１および図３に示すように、この制動機構は、プレート１５側の支点９に枢着した第１リンク６、および回動基体３側の支点１０に枢着した第２リンク７との連接点８と、壁面支点１１との間に設けたステーダンパー２０を設け、連接点８の変位速度を制限する構成となっていて、回動基体３の動きに伴って変位する連接点８の変位速度をステーダンパーにより、自由に回動しようとする力に抗して、かつ所望の設定速度となるよう制動を加えるようにしたものである。
【００１５】
この制動機構１２は、回動基体に固定した支点１０と壁面支点１１との間にステーダンパーを設け、支点１０の変位速度を制限する構成としても、回動基体３の動きに伴って変位する支点１０の変位速度を該ステーダンパーにより、自由に回動しようとする力に抗して、かつ所望の設定速度となるよう制動を加えることができる。ステーダンパー２０は、例えば図４に示すような、シリンダ２１内をピストン２２で２つの室Ｃ、Ｄに仕切り、一方の室にある緩衝液またはガスを、オリフィス２７で調整しながら他方の室に移動させ、ピストンロッド２３の伸び方向に強い反発力を働かせるようにしたガススプリングが好適である。２４はオイルシール、２５はフリーピストン、２６はガス室で窒素ガスが圧入され、常に室Ｃ、Ｄを加圧しているものである。このほか、機械的なバネ、バネと緩衝液またはガスと組合わせたものでも上記機能を有するものであれば、このガススプリングに代替させ得ることはいうまでもない。
【００１６】
さらに、制動機構の他の実施例について説明する。
この制動機構は、図５に示すように、回動基体３に回転軸を直結し、プレート１５から外側に延長した回転軸とプレート間にロータリーダンパー３１を設け、ロータリーダンパーにより自由に回動しようとしている回動基体３に制動を加えるものである。ロータリーダンパーは、例えば、回動基体３に摩擦円盤３１を直結し、これに楔作用で一方向に強く、反対方向に弱く働くブレーキ３２を接触させて回動基体３自体を直接、自由に回動しようとする力に抗して、かつ所望の設定速度となるよう制動を加える。ロータリーダンパーは、この他にロータリーシリンダ内をロータリーピストンで２つの室に仕切り、上記ステーダンパーの機能を円周上で一方向に強く、反対方向に弱い抵抗力を発生させるものでもロータリーダンパーに代えることができる。
【００１７】
次にこの可動型手摺の操作について述べる。
この可動型手摺の格納操作は、図１において実線で示す使用位置の支持杆２を壁面Ａに向けて持上げて行われる。支持杆２を持上げると、回動基体３が回転軸４を中心にして回動し、図３に示すように、回動基体が係止ストッパー１３を離れ、図に向かって９０度回転したところで、格納ストッパー１４に当接する。この終点、すなわち支持杆２が倒立して格納状態となったとき、その姿勢における回動基体３は、その先端に取付けられた突起１７と格納ストッパー１４の背面に設けられた係止具１６とが係合し、その姿勢が保持される。図３に示す格納位置から、支持杆２を使用状態に繰出す操作は、最初に支持杆２を矢印Ｂの方向に力を加え、係止具１６の係合を解いて回動基体３が回動するよう初動させる。この直後から回動基体３は、支持杆２の自重が作用して回動を始めるが、その回動しようとする力に対して制動機構が働き、設定された所望の速度となるよう制動が加えられて、支持杆２が緩く減勢され安全な速さで静かに繰出される。
【００１８】
【発明の効果】
この発明は、次のような効果を奏する。
【００１９】
Ａ．ブラケットの間隙内に回動自在に軸着した回動基体を、制動機構によりその回動速度に制限を加えるようにしたから、該回動基体と一体的に形成された手摺主体の支持杆を格納位置から水平状態に緩く減勢して繰出すことができ、安全性の高い手摺が得られる。  Ｂ．ブラケットおよび回動基体間にローラーキャッチ、マグネットキャッチのような係止具を設け、格納位置に倒立させた手摺主体の回動基体を、該ブラケットに対し係脱自在に保持するようにして半固定するようにしたから、手摺主体の支持杆が不意に降下、繰出されることがない。
【００２０】
Ｃ．回動基体ならびに支持杆に連なる機械的作動部分の危険に繋がる箇所を一対のプレートで包囲したから、支持杆の格納操作時、あるいは繰出し操作時に支持杆とブラケットの間に手や指を挟んで怪我をする危険がなくなる。
【図面の簡単な説明】
【図１】手摺主体の支持杆を使用状態に繰出した可動型手摺を示す側面図。
【図２】図１の平面図。
【図３】手摺主体の支持杆を格納状態に倒立させた可動型手摺を示す側面図。
【図４】ガススプリングの説明的断面図。
【図５】回動基体をロータリーダンパーで制動させる説明的断面図。
【図６】可動型手摺の従来例を示す斜視図である。
【符号の説明】
１…手摺主体                    ２０…ステーダンパー
２…支持杆                      ２１…シリンダ
３…回動基体                    ２２…ピストン
４…回転軸                      ２３…ピストンロッド
５…ブラケット                  ２４…オイルシール
６…第１リンク                  ２５…フリーピストン
７…第２リンク                  ２６…ガス室
８…連接点                      ２７…オリフィス
９…支点                        ３０…ロータリーダンパー
１０…支点                        ３１…摩擦円盤
１１…壁面支点                    ３２…ブレーキ
１２…制動機構                    Ａ……壁面
１３…係止ストッパー              Ｂ……回転方向
１４…格納ストッパー              Ｃ……室
１５…プレート                    Ｄ……室
１６…係止具
１７…突起
【図１】
0003631317.tif 000002
【図２】
0003631317.tif 000003
【図３】
0003631317.tif 000004
【図４】
0003631317.tif 000005
【図５】
0003631317.tif 000006
【図６】
0003631317.tif 000007